【手続補正書】
【提出日】平成29年7月13日(2017.7.13)
【手続補正１】
【補正対象書類名】特許請求の範囲
【補正対象項目名】全文
【補正方法】変更
【補正の内容】
【特許請求の範囲】
【請求項１】
無線アクセス技術（ＲＡＴ）トランシーバとグローバル  ナビゲーション衛星システム（ＧＮＳＳ）受信機の共存を管理するための方法であって、前記方法は、
スケジュールされた動作イベントに関する前記ＲＡＴトランシーバの特性の表示を前記ＲＡＴトランシーバから、共存マネージャによって、受信することと、
前記共存マネージャによって受信された前記ＲＡＴトランシーバの前記特性に基づいて、十分な数のスペースビークルからの複数の信号が取得されないことを、前記共存マネージャによって、決定することと、
前記十分な数のスペースビークルからの複数の信号が前記ＲＡＴトランシーバの前記動作イベントの期間中に取得されるように、前記スケジュールされた動作イベントに関する送信電力レベルを制限することを推奨するメッセージを前記ＲＡＴトランシーバに、前記共存マネージャによって、送信することと、
前記ＲＡＴトランシーバの前記特性に基づいて、前記ＧＮＳＳ受信機による位置決定に関して使用するためのＧＮＳＳのスペースビークルを、前記共存マネージャによって、選択することと、
前記ＲＡＴトランシーバの前記動作イベントの期間中に、前記ＧＮＳＳの前記スペースビークルからの信号を、前記ＧＮＳＳ受信機によって、受信することと、
前記ＲＡＴトランシーバの前記動作イベントの期間中に受信された前記ＧＮＳＳの前記スペースビークルから受信された前記信号を使用して前記位置決定を、前記ＧＮＳＳ受信機によって、実行することと、
を備える上記方法。
【請求項２】
前記ＧＮＳＳ受信機による位置決定に関して使用するための前記ＧＮＳＳの前記スペースビークルを、前記共存マネージャによって、選択することは、
前記スケジュールされた動作イベントに関する前記ＲＡＴトランシーバの前記特性に基づいて複数のスペースビークルの順序付けを、前記共存マネージャによって、決定することと、
前記複数のスペースビークルの前記順序付けに基づいて前記ＧＮＳＳの前記スペースビークルを、前記共存マネージャによって、選択することと、
を備える、請求項１に記載の前記ＲＡＴトランシーバと前記ＧＮＳＳ受信機の共存を管理するための方法。
【請求項３】
複数のスペースビークルの順序を、前記共存マネージャによって、計算することと、ここにおいて、前記順序は、前記ＧＮＳＳ受信機の前記位置決定への前記動作イベントに関する前記ＲＡＴトランシーバの前記特性の影響の大きさに基づいており、ここにおいて、前記ＧＮＳＳ受信機の位置決定に関して使用するための前記ＧＮＳＳの前記スペースビークルを選択することは、前記順序に基づいている、
をさらに備える、請求項１に記載の前記ＲＡＴトランシーバと前記ＧＮＳＳ受信機の共存を管理するための方法。
【請求項４】
生起する前記ＲＡＴトランシーバの前記動作イベントをスケジュールするための時間を、前記共存マネージャによって、決定することと、
前記動作イベントに関する前記時間を推奨するメッセージを、前記ＲＡＴトランシーバに、前記共存マネージャによって、送信することと、
をさらに備える、請求項１に記載の前記ＲＡＴトランシーバと前記ＧＮＳＳ受信機の共存を管理するための方法。
【請求項５】
前記ＲＡＴトランシーバの前記動作イベントが生起するところの周波数を、前記共存マネージャによって、決定することと、
前記動作イベントに関して使用するための前記周波数を推奨するメッセージを、前記ＲＡＴトランシーバに、前記共存マネージャによって、送信することと、
をさらに備える、請求項１に記載の前記ＲＡＴトランシーバと前記ＧＮＳＳ受信機の共存を管理するための方法。
【請求項６】
前記動作イベントに関する電力レベルを、前記共存マネージャによって、決定すること、ここにおいて、前記メッセージは、前記動作イベントに関する前記電力レベルをさらに推奨する、
をさらに備える、請求項１に記載の前記ＲＡＴトランシーバと前記ＧＮＳＳ受信機の共存を管理するための方法。
【請求項７】
前記ＲＡＴトランシーバの前記特性に基づいて、位置決定に関して利用可能な複数のグローバル  ナビゲーション衛星システムからの前記ＧＮＳＳを、前記共存マネージャによって、選択すること、
をさらに備える、請求項１に記載の前記ＲＡＴトランシーバと前記ＧＮＳＳ受信機の共存を管理するための方法。
【請求項８】
前記ＧＮＳＳ受信機の前記位置決定に関して使用するための前記ＧＮＳＳの前記スペースビークルの選択は、予め選択されたＧＮＳＳ内で生起する、請求項１に記載の前記ＲＡＴトランシーバと前記ＧＮＳＳ受信機の共存を管理するための方法。
【請求項９】
前記ＲＡＴトランシーバの前記特性は、
計画された時間窓、
偏波、
計画された周波数、および
計画された電力レベル
から成るグループから選択される、請求項１に記載の前記ＲＡＴトランシーバと前記ＧＮＳＳ受信機の共存を管理するための方法。
【請求項１０】
前記共存マネージャは、前記ＧＮＳＳ受信機と統合される、請求項１に記載の前記ＲＡＴトランシーバと前記ＧＮＳＳ受信機の共存を管理するための方法。
【請求項１１】
無線アクセス技術（ＲＡＴ）トランシーバとグローバル  ナビゲーション衛星システム（ＧＮＳＳ）受信機の共存を管理するためのシステムであって、
スケジュールされた動作イベントに関する前記ＲＡＴトランシーバの特性の表示を、前記ＲＡＴトランシーバから、受信するように、
共存マネージャによって受信された前記ＲＡＴトランシーバの前記特性に基づいて、十分な数のスペースビークルからの複数の信号が取得されないことを決定するように、
前記十分な数のスペースビークルからの複数の信号が前記ＲＡＴトランシーバの前記動作イベントの期間中に取得されるように、前記スケジュールされた動作イベントに関する送信電力レベルを制限することを推奨するメッセージを前記ＲＡＴトランシーバに送信するように、および
前記ＲＡＴトランシーバの前記特性に基づいて、前記ＧＮＳＳ受信機による位置決定に関して使用するためのＧＮＳＳのスペースビークルを、選択するように、
構成された共存マネージャと、
前記ＲＡＴトランシーバの前記動作イベントの期間中に、前記ＧＮＳＳの前記スペースビークルからの信号を受信するように、
前記動作イベントに関して前記ＲＡＴトランシーバの前記動作イベントの期間中に受信された前記ＧＮＳＳの前記スペースビークルから受信された前記信号を使用して、前記位置決定を実行するように、
構成された前記ＧＮＳＳ受信機と、
を備える上記システム。
【請求項１２】
前記ＧＮＳＳ受信機による位置決定に関して使用するための前記ＧＮＳＳの前記スペースビークルを選択するように構成された前記共存マネージャは、
前記スケジュールされた動作イベントに関する前記ＲＡＴトランシーバの前記特性に基づいて、複数のスペースビークルの順序付けを決定するように、および
前記複数のスペースビークルの前記順序付けに基づいて、前記ＧＮＳＳの前記スペースビークルを選択するように、
構成された前記共存マネージャを備える、請求項１１に記載の前記ＲＡＴトランシーバと前記ＧＮＳＳ受信機の共存を管理するためのシステム。
【請求項１３】
前記共存マネージャは、
複数のスペースビークルの順序を計算するように
さらに構成され、ここにおいて、前記順序は、前記ＧＮＳＳ受信機の前記位置決定への前記動作イベントに関する前記ＲＡＴトランシーバの前記特性の影響の大きさに基づいており、ここにおいて、
前記ＧＮＳＳ受信機の位置決定に関して使用するための前記ＧＮＳＳの前記スペースビークルの選択は、前記順序に基づいている、
請求項１１に記載の前記ＲＡＴトランシーバと前記ＧＮＳＳ受信機の共存を管理するためのシステム。
【請求項１４】
前記共存マネージャは、
生起する前記ＲＡＴトランシーバの前記動作イベントをスケジュールするための時間を決定するように、および
前記動作イベントに関する前記時間を推奨するメッセージを前記ＲＡＴトランシーバに送信するように、
さらに構成される、請求項１１に記載の前記ＲＡＴトランシーバと前記ＧＮＳＳ受信機の共存を管理するためのシステム。
【請求項１５】
前記共存マネージャは、
前記ＲＡＴトランシーバの前記動作イベントが生起するところの周波数を決定するように、および
前記動作イベントに関して使用するための前記周波数を推奨するメッセージを、前記ＲＡＴトランシーバに、送信するように、
さらに構成される、請求項１１に記載の前記ＲＡＴトランシーバと前記ＧＮＳＳ受信機の共存を管理するためのシステム。
【請求項１６】
前記共存マネージャは、前記動作イベントに関する前記電力レベルの推奨を前記メッセージに含むようにさらに構成される、請求項１１に記載の前記ＲＡＴトランシーバと前記ＧＮＳＳ受信機の共存を管理するためのシステム。
【請求項１７】
前記共存マネージャは、
前記ＲＡＴトランシーバの前記特性に基づいて、位置決定に関して利用可能な複数のグローバル  ナビゲーション衛星システムから前記ＧＮＳＳを選択するように、
さらに構成される、請求項１１に記載の前記ＲＡＴトランシーバと前記ＧＮＳＳ受信機の共存を管理するためのシステム。
【請求項１８】
前記共存マネージャは、予め選択されたＧＮＳＳ内で生起する、前記ＧＮＳＳ受信機の前記位置決定に関して使用するための前記ＧＮＳＳの前記スペースビークルを選択するように構成される、請求項１１に記載の前記ＲＡＴトランシーバと前記ＧＮＳＳ受信機の共存を管理するためのシステム。
【請求項１９】
前記共存マネージャは前記ＧＮＳＳ受信機と統合される、請求項１１に記載の前記ＲＡＴトランシーバと前記ＧＮＳＳ受信機の共存を管理するためのシステム。
【請求項２０】
前記共存マネージャは、前記ＧＮＳＳ受信機から独立したプロセッサ中で実行される、請求項１１に記載の前記ＲＡＴトランシーバと前記ＧＮＳＳ受信機の共存を管理するためのシステム。
【請求項２１】
無線アクセス技術（ＲＡＴ）トランシーバとグローバル  ナビゲーション衛星システム（ＧＮＳＳ）受信機の共存を管理するための装置であって、
スケジュールされた動作イベントに関する前記ＲＡＴトランシーバの特性の表示を、前記ＲＡＴトランシーバから、受信することと、
前記共存マネージャによって受信された前記ＲＡＴトランシーバの前記特性に基づいて、十分な数のスペースビークルからの複数の信号が取得されないことを決定することと、
十分な数のスペースビークルからの複数の信号が前記ＲＡＴトランシーバの前記動作イベントの期間中に取得されるように、前記スケジュールされた動作イベントに関する送信電力レベルを制限することを推奨するメッセージを前記ＲＡＴトランシーバに送信することと、
前記動作イベントに関する前記ＲＡＴトランシーバの前記特性に基づいて、前記ＧＮＳＳ受信機による位置決定に関して使用するためのＧＮＳＳのスペースビークルを選択することと、
のための管理手段と、
前記ＲＡＴトランシーバの前記動作イベントの期間中に、前記ＧＮＳＳの前記スペースビークルからの信号を受信することと、および
前記ＲＡＴトランシーバの前記動作イベントの期間中に受信された前記ＧＮＳＳの前記スペースビークルから受信された前記信号を使用して前記位置決定を実行することと、
のための受信手段と、
を備える上記装置。
【請求項２２】
前記ＧＮＳＳ受信機による位置決定に関して使用するための前記ＧＮＳＳの前記スペースビークルを選択するための前記管理手段は、
前記スケジュールされた動作イベントに関する前記ＲＡＴトランシーバの前記特性に基づいて、複数のスペースビークルの順序付けを決定するように、
前記複数のスペースビークルの前記順序付けに基づいて、前記ＧＮＳＳの前記スペースビークルを選択するように、
構成された、請求項２１に記載の前記ＲＡＴトランシーバと前記ＧＮＳＳ受信機の共存を管理するための装置。
【請求項２３】
前記管理手段は、
複数のスペースビークルの順序を計算するように、ここにおいて、前記順序は、前記ＧＮＳＳ受信機の前記位置決定への前記動作イベントに関する前記ＲＡＴトランシーバの前記特性の影響の大きさに基づく、および、
前記ＧＮＳＳ受信機の位置決定に関して使用するための前記ＧＮＳＳの前記スペースビークルを、前記順序に基づいて、選択するように、
さらに構成される、請求項２１に記載の前記ＲＡＴトランシーバと前記ＧＮＳＳ受信機の共存を管理するための装置。
【請求項２４】
前記管理手段は、
生起する前記ＲＡＴトランシーバの前記動作イベントをスケジュールするための時間を決定ように、
前記動作イベントに関する前記時間を推奨するメッセージを、前記ＲＡＴトランシーバに送信するように、
さらに構成された、請求項２１に記載の前記ＲＡＴトランシーバと前記ＧＮＳＳ受信機の共存を管理するための装置。
【請求項２５】
無線アクセス技術（ＲＡＴ）トランシーバとグローバル  ナビゲーション衛星システム（ＧＮＳＳ）受信機の共存を管理するための非一時的プロセッサ可読媒体であって、
スケジュールされた動作イベントに関する前記ＲＡＴトランシーバの特性の表示を、前記ＲＡＴトランシーバから、受信するように、
前記共存マネージャによって受信された前記ＲＡＴトランシーバの前記特性に基づいて、十分な数のスペースビークルからの複数の信号が取得されないことを決定するように、
十分な数のスペースビークルからの複数の信号が前記ＲＡＴトランシーバの前記動作イベントの期間中に取得されるように、前記スケジュールされた動作イベントに関する送信電力レベルを制限することを推奨するメッセージを前記ＲＡＴトランシーバに送信するように、
前記動作イベントに関する前記ＲＡＴトランシーバの前記特性に基づいて、前記ＧＮＳＳ受信機による位置決定に関して使用するためのＧＮＳＳのスペースビークルを、選択するように、
前記ＲＡＴトランシーバの前記動作イベントの期間中に、前記ＧＮＳＳの前記スペースビークルからの信号を、受信するように、および
前記ＲＡＴトランシーバの前記動作イベントの期間中に受信された前記ＧＮＳＳの前記スペースビークルから受信された前記信号を使用して、前記位置決定を実行するように、
１つまたはそれ以上のプロセッサに行わせるように構成された複数のプロセッサ可読命令を備える、
前記非一時的プロセッサ可読媒体。
【請求項２６】
実行されるとき、前記ＧＮＳＳ受信機による位置決定に関して使用するための前記ＧＮＳＳの前記スペースビークルを選択することを、前記１つまたはそれ以上のプロセッサに行わせる前記複数のプロセッサ可読命令は、実行されるとき、
前記スケジュールされた動作イベントに関する前記ＲＡＴトランシーバの前記特性に基づいて、複数のスペースビークルの順序付けを決定するように、
前記複数のスペースビークルの前記順序付けに基づいて、前記ＧＮＳＳの前記スペースビークルを選択するように、
前記１つまたはそれ以上のプロセッサに行わせる、複数のプロセッサ可読命令を備える、請求項２５に記載の前記ＲＡＴトランシーバと前記ＧＮＳＳ受信機の共存を管理するための非一時的プロセッサ可読媒体。